(57)【要約】【課題】  転倒が想定される時だけ作動して通常は邪魔にならず、風などによる緩やかな転倒にも対応できる感度の良好な転倒防止装置を提供することである。また、転倒が防止されて安全なサッカーゴールを提供することである。【解決手段】  転倒防止対象物の底部に備えられ、棒状の脚部材と、脚部材を長手方向にスライド自在に収容する横長の収容ケースとからなる本体、及び、脚部材を収容ケースから突出する方向に常時付勢する付勢手段、及び、脚部材が収容ケースから突出するのを抑止する係止手段とを含み、この係止手段がストッパーを備え、ストッパーの底部は設置面と接し、通常時、その頭部は脚部材に備えられた係合部と係合させられて脚部材のスライドが抑止されており、本体が傾いて本体後部が浮上する時、ストッパーの頭部が前記係合部との係合が外れて収容ケースの前端から突出するようにされた転倒防止装置とされることである。また、この転倒防止装置を備えたサッカーゴールとされることである。【選択図】  図１
2005278895.tif 000002
【特許請求の範囲】
【請求項１】
転倒防止対象物の底部に備えられ、該転倒防止対象物が転倒するのを防止する転倒防止装置であって、
棒状の脚部材と、該脚部材を長手方向にスライド自在に収容する横長の収容ケースとからなる本体と、
前記脚部材を収容ケースから突出する方向に常時付勢する付勢手段と、
前記脚部材が収容ケースから突出するのを抑止する係止手段と
を含み、該係止手段は、前記本体が傾くことによる本体後部の浮上を検知して該係止手段の抑止を解除するようにされた転倒防止装置。
【請求項２】
前記係止手段が、本体後部の下方に配設されたストッパーを備え、該ストッパーの底部は設置面と接し、通常時、該ストッパーの頭部は前記脚部材に備えられた係合部と係合させられて、該脚部材のスライドが抑止されており、本体が傾いて本体後部が浮上する時、ストッパーの該頭部が前記係合部との係合が外れて、該脚部材のスライドが自由にされる請求項１に記載の転倒防止装置。
【請求項３】
転倒防止対象物の底部に備えられ、該転倒防止対象物が転倒するのを防止する転倒防止装置であって、
棒状の脚部材と、該脚部材を長手方向にスライド自在に収容する横長の収容ケースとを含み、略水平に設置された該収容ケースが傾いてその一端が浮上する時、前記脚部材がそれ自身の重みによって収容ケース内をスライドして他の一端から突出するようにされた転倒防止装置。
【請求項４】
転倒防止対象物の底部に備えられ、該転倒防止対象物が転倒するのを防止する転倒防止装置であって、
棒状の脚部材と、該脚部材を長手方向にスライド自在に収容する横長の収容ケースとからなる本体と、
前記脚部材を収容ケースから突出する方向に付勢する付勢手段と、
前記本体が傾くことによる本体後部の浮上を検知する検知手段と
を含み、前記本体が傾いて本体後部の浮上が検知された時に付勢手段が作動し、収容ケースの前端から突出するまで脚部材がスライドするようにされた転倒防止装置。
【請求項５】
前記脚部材のスライドを助勢するためのローラが、脚部材に装着されているか、又は、収容ケース内に配設されている請求項１から請求項４のいずれかに記載の転倒防止装置。
【請求項６】
請求項１から請求項５のいずれかに記載の転倒防止装置が、左右両側の底部パイプに備えられたサッカーゴール。
【発明の詳細な説明】
【技術分野】
【０００１】
本発明は、サッカーゴール、家具、テレビなどの電気製品、ロッカー等々の風や地震による転倒を防止する装置、及び、転倒しにくいサッカーゴールに関する。
【背景技術】
【０００２】
風や地震による転倒を防止する有効な対策の一つは、横揺れによる重心の移動に十分対応できるように、実質的な床面積を増やすことである。例えば、床面に沿って本体から横に張り出す脚を取り付けることは転倒防止に非常に役立つ。ところが、このような脚には足が引っ掛りやすくて転ぶ原因となるので、常時張り出しているのは好ましくない。
【０００３】
そこで、従来、このような脚を出し入れ自在にして、地震発生などの必要な時にだけ張り出す工夫が幾つか提案されてきた。例えば（特許文献１参照）、図８に示されるように、家具５０の底部に転倒防止装置５４が装着されるのであるが、転倒防止装置５４からは２本の棒状の脚部材５２が必要なときだけ前方に張り出すようにされている。
【０００４】
この提案の転倒防止装置５４は次ぎのように構成される。すなわち、図９で説明されるように、コイルばね６４によって後押しされた脚部材５２がケース６６に収容されているのであるが、通常は、上から垂れ下がる爪状係合部６０に、脚部材５２の上部に設けられた突起状係合部６２が係合している。このため、コイルばね６４によって付勢されていても、脚部材５２はスライドが抑止されてケース６６内に留まっている。爪状係合部６０は略水平に設置された箱状の揺動体５６の底部に連結されており、揺動体５６は軸体７０回りに回動自在とされている。また、揺動体５６には球状の転動体５８が、軸体７０より爪状係合部６０側の窪み６８に収容されている。
【０００５】
そして、地震などの振動を受けて転動体５８が転動し、爪状係合部６０側から軸体７０を超えて移動すれば、図１０に示されるように、転動体５８の重量により揺動体５６が回動して傾斜し、爪状係合部６０が引き上げられる。このため、突起状係合部６２との係合が解除されて脚部材５２はスライドを開始し、ケース６６の先端出口（図中省略）から突出するまで移動する。図８に示されるように、転倒防止装置５４を家具５０の底部に装着すれば、地震などが発生した時に自動的に脚部材５２を前方に張り出すことのできる仕組みである。
【０００６】
本提案によれば、地震などが発生した時には脚部材５２が張り出されて転倒を防止することができるし、通常は、脚部材５２が転倒防止装置５４内に収容されていて邪魔にならないので大変便利である。しかしながら、この転倒防止装置５４は、地震などの比較的激しくて速い振動に対しては敏感であるが、風などを受けてゆっくり転倒する場合の対応には鈍感で、脚部材５２の張り出しが遅れる恐れがあった。転動体５８が窪み６８から飛び出るには、相当に激しく揺れるか、あるいは、揺動体５６が相当に傾かなければならない。その上、揺動体５６内を転動体５８が移動する時間や揺動体５６が十分に傾斜するまでの時間も必要だからである。
【０００７】
図１１で説明される別の提案（特許文献２参照）では、爪状係合部６０と突起状係合部６２との係合解除に振り子７２を利用している。爪状係合部６０は逆Ｕ字形のアーム７４の一端に形成されており、アーム７４はピン８４によって回動自在に懸架されている。アーム７４に並んで配設された振り子７２が地震などで揺れ動き、アーム７４の側部に突き当たると、アーム７４がピン８４回りに回動する。すると、爪状係合部６０が引き上げられ、突起状係合部６２との係合が解除されて脚部材５２のスライドが始まる。
【０００８】
本提案の転倒防止装置５５も非常に便利である。しかしながら、振り子７２が十分に振れるためには、やはり、相当に激しく揺れなければならず、風などによる緩やかな転倒に対しては感度が鈍くて適切な防止策とはなりえなかった。
【０００９】
一方、サッカーゴールの転倒による事故の発生が近年大きな問題となりつつあり、その有効な防止策が待たれている。サッカーゴールは重心が高くて前側（グランド側）に偏っているため、背後から強い風などを受けると容易に転倒しやすい。また、非常に重いので下敷きになると重傷を負いやすく大変危険である。
【００１０】
従来、サッカーゴールの転倒を防止するには、その底部のパイプに砂袋などの重しを乗せたり、杭を打って止めたりしていた。ところが、運動グランドを多目的に使用するため、サッカーゴールを一時移動しなければならないことも多く、その度毎にこれらの対策を実行するのは面倒であり、つい忘れて徹底しないことになりがちであった。また、杭打ちの対策では、サッカーゴールの移動と復元を繰り返すうち、いつも同じ位置に杭を打つことになってしまって杭が抜けやすくなるという問題もあった。
【００１１】
そこで、転倒防止具（脚）が前方に張り出されたサッカーゴールが提案（特許文献３）された。図１２に示されるように、サッカーゴール８８の底部９０の両側から前方に向けて、２本の棒状の転倒防止具９２が張り出されて固着されている。そして、転倒防止具９２は緩く曲がってその先端部を地中に埋めて用いるようにされている。
【００１２】
このサッカーゴール８８は、前方への転倒防止に非常に有効である。しかしながら、転倒防止具９２の埋め込みが浅ければ、プレイヤーの激しい動きの中で露出してしまい、怪我の原因になる恐れがあった。逆に深く埋めれば、サッカーゴール８８を移動するたびに掘り起こしたり埋めたりしなければならず大変不便であり、また、グランドを痛める恐れがあった。
【特許文献１】特開平０９−０２３９４６号公報
【特許文献２】特開平０９−０７５１５９号公報
【特許文献３】実開昭５５−０７５３５８号公報
【発明の開示】
【発明が解決しようとする課題】
【００１３】
本発明は、上述した従来技術の問題点に鑑み、風や軽度の地震などによる緩やかな転倒に対しても迅速に対応できる転倒防止装置を提供すること、及び、安全で確実に転倒を防止することのできるサッカーゴールを提供することを課題としている。
【課題を解決するための手段】
【００１４】
本発明の転倒防止装置は、転倒防止対象物の底部に備えられて用いられるものであって、棒状の脚部材と、脚部材を長手方向にスライド自在に収容する横長の収容ケースとからなる本体、及び、脚部材を収容ケースから突出する方向に常時付勢する付勢手段、及び、脚部材がスライドして収容ケースから突出するのを抑止する係止手段とで主に構成され、この係止手段は、本体が傾くことによる本体後部の浮上を検知してスライドの抑止を解除するものであり、この解除によって、収容ケースの前端から突出するまで脚部材がスライドすることを特徴とする。
【００１５】
そして特に、上述した転倒防止装置における係止手段が、本体後部の下方に配設されたストッパーを備え、該ストッパーの底部は設置面と接し、通常時、該ストッパーの頭部は前記脚部材に備えられた係合部と係合させられて、該脚部材のスライドが抑止されており、本体が傾いて本体後部が浮上する時、ストッパーの該頭部が前記係合部との係合が外れて、該脚部材のスライドが自由にされることを特徴とする。
【００１６】
あるいはまた、本発明の別の転倒防止装置は、転倒防止対象物の底部に備えられて用いられるものであって、棒状の脚部材と、脚部材を長手方向にスライド自在に収容する横長の収容ケースとからなり、略水平に設置された収容ケースが傾いてその一端が浮上する時、脚部材がそれ自身の重みによって収容ケース内をスライドして他の一端から突出することを特徴とする。
【００１７】
あるいはまた、本発明の別の転倒防止装置は、転倒防止対象物の底部に備えられて用いられるものであって、棒状の脚部材と、脚部材を長手方向にスライド自在に収容する横長の収容ケースとからなる本体、及び、脚部材を収容ケースから突出する方向に付勢する付勢手段、及び、本体が傾くことによる本体後部の浮上を検知する検知手段とで主に構成され、本体が傾いて本体後部の浮上が検知された時に付勢手段が作動し、収容ケースの前端から突出するまで脚部材がスライドすることを特徴とする。
【００１８】
そして特に、これらの転倒防止装置において、脚部材の前記スライドを助勢するためのローラが脚部材に装着されるか、又は、収容ケース内に配置されたことを特徴とする。
【００１９】
また、本発明のサッカーゴールは、上述した幾つかの転倒防止装置の中のいずれかが、左右両側の底部パイプに備えられることを特徴とする。
【発明の効果】
【００２０】
転倒防止対象物の底部に備えられて用いられる本発明の転倒防止装置によれば、地震や強風を受けて転倒防止対象物が前方に傾き転倒しようとする時、その後部の浮上を検知して速やかに脚部材を前方に繰り出すので、転倒を未然に防ぐことができる。また、常時は脚部材が収容ケース内に引き込まれているので邪魔にならず実用に便利である。
【００２１】
請求項１に係わる本発明の転倒防止装置は、常時付勢されている脚部材のスライドを係止手段で抑止しておき、本体後部の浮上を検知した時この抑止を解除する仕組みであるが、本体後部の浮上を検知することは、振動や傾斜角度を検知することよりも精度がよくそして容易に行える。このため、風などによる緩やかな転倒であっても、そのごく初期の段階で脚部材を繰り出すことができて転倒を確実に防ぐことができる。また、転倒防止対象物の形状や用途に合わせ、係止手段と検知手段とを自由に選択して組み合わせることができる。
【００２２】
特に、請求項２に係わる転倒防止装置によれば、係止手段が本体後部の下方に配設されたストッパーを備え、このストッパーが本体後部の浮上を直接検知して直ちに前記抑止を解除する仕組みなので、構造が簡単で誤動作が少なく、感度が良くて確実に転倒を防止することができる。
【００２３】
また、請求項３に係わる転倒防止装置は、脚部材と収容ケースとだけからなる単純な構成なので小型軽量化が可能であり、比較的小型の転倒防止対象物の転倒防止に有効に用いられる。
【００２４】
また、請求項４に係わる転倒防止装置は、本体後部の浮上を検知した時に、脚部材のスライド付勢手段を作動させる仕組みであるが、本体後部の浮上を検知することは、振動や傾斜角度を検知することよりも精度がよくそして容易に行える。このため、風などによる緩やかな転倒であっても、そのごく初期の段階で脚部材を繰り出すことができて転倒を確実に防ぐことができる。また、脚部材のスライドを抑制する係止手段が省かれているので構成がよりシンプルになって小型化しやすい。また、電気的に作動する付勢手段を採用して、脚部材の繰り出しだけでなく引き戻し収容も行えるようになる。
【００２５】
さらに、これらの転倒防止装置において、脚部材のスライドを助勢するためのローラを採用することによって、ローラの繰り出しをより速やかに行い、転倒防止効果をさらに高めることができる。
【００２６】
また、本発明のサッカーゴールによれば、風などによる緩やかな転倒にも十分対応できる転倒防止装置が備えられ、前方にわずかに傾いた時にも、底部の両側から脚部材が速やかに前方に繰り出されるので、地震や強風による転倒が確実に防止される。また、常時は、脚部材が収容ケース内に引き込まれて露出していないため、脚部材につまずいて怪我をするようなことはなく、安全に試合や練習を行うことができる。
【発明を実施するための最良の形態】
【００２７】
本発明に係わる転倒防止装置の実施形態について、図面に基づいて詳細に説明する。
【００２８】
図１に、本発明の転倒防止装置１０の好ましい実施態様の一例を示す。転倒防止装置１０は、棒状の脚部材１２と、脚部材１２を長手方向にスライド自在に収容する横長の収容ケース１４とからなる本体１６、及び、脚部材１２の前方へのスライドを常時付勢するコイルばね１８（付勢手段２０）、及び、本体後部の下方に配設されて、脚部材１２の前方へのスライドを抑止するストッパー２２（係止手段２１）とで主に構成されている。なお、本発明でいう前方とは、脚部材がスライドして収容ケース１４から突出する方向Ｄを意味し、予想される転倒方向を前方として、転倒防止装置１０を転倒防止対象物（図中省略）に備えて用いる。
【００２９】
又、本発明でいう棒状の脚部材とは一方向に長い脚部材を意味し中空のパイプでもよい。そして、その断面形状も特に限定されず、円形、楕円形、長方形などの種々の多角形、Ｌ形、Ｈ形等々とされ、用途に応じて適切な形状が選択される。脚部材は、その全部が収容ケース内に収容されてもよいし、一部を露出して残したまま収容されてもよい。
【００３０】
コイルばね１８は、脚部材１２の中程に設けられた鍔状の突起１９と、収容ケース１４の後部１４２内に係止されたコイルばね係止部２７とに挟まれている。同図（ａ）は、コイルばね１８が後方に圧縮されて脚部材１２の後端１２２がストッパー２２によって係止された状態を示し、同図（ｂ）は、ストッパー２２が外れてコイルばね１８が復元伸長し、突起１９を介し、脚部材１２を収容ケース１４の前端１４１から突出するまでスライドさせた状態を示す。
【００３１】
図２は図１（ａ）に対応し、通常時のストッパー２２付近を示しているが、直棒状のストッパー２２の底部２２２は台状とされて設置面２４と接し、その丸い頭部２２１は脚部材１２に設けられた係合部２６に係合されている。このため、圧縮されたコイルばね１８によって付勢された脚部材１２のスライドは抑止された状態にある。
【００３２】
ストッパー２２は、本体１６の後部１６２の下方に設けられたストッパーハウジング２８内に収容されているが、ストッパーハウジング２８に固着されてはいない。また、ストッパーハウジング２８の底部には、ストッパー２２の底部２２２が上下に出入りできる挿通孔４０が設けられている。したがって、本体１６の後部１６２が浮き上がり、つられてストッパーハウジング２８が浮き上がっても、ストッパー２２は設置面２４上にそのまま残り、挿通孔４０から下方に抜け出るようになる。
【００３３】
一方、ストッパー２２の腹部には鍔状の突起３２が設けられ、その下方には、ストッパー２２の直棒状部分は挿通するが突起３２は引っ掛る大きさのリング状の落下防止枠３４が、本体１６から懸架されて設けられている。このため、挿通孔４０から抜け出ようとするストッパー２２の上述の動きは、突起３２が落下防止枠３４に引っ掛るまでしか許されないことになる。また、ストッパー２２を抱え、収容ケース１４と突起３２とに挟まれて圧縮されたコイルばね３０が配設されている。コイルばね３０の復元力を利用して、上記ストッパー２２の抜け出しを付勢し、脚部材１２の係合部２６とストッパー２２の頭部２２１との係合を確実に解除しようとするものである。しかしながら、コイルばね３０は本発明に必ずしも必要とされない。コイルばね３０を省いても、ストッパー２２自身の重みによる重力降下だけで、挿通孔４０から抜け出ることが可能である。ストッパー２２の降下を妨げるのは、係合部２６との係合を介して横から働くコイルばね１８の復元力である。このため、ストッパー２２の頭部２２１をテーパー状にして斜めの面を形成するなど、横からの力に対する滑り易さを工夫することによって、ストッパー２２の降下をよりスムーズに行うことができる。
【００３４】
図３は、本体１６の後部１６２が浮き上がり、ストッパーハウジング２８が設置面２４からΔｈ浮上し、鍔状の突起３２が落下防止枠３４に接するまでストッパー２２が下方に抜け出した状態を示している。この時、ストッパー２２の頭部２２１は脚部材１２の係合部２６から完全に外れているので、コイルばね１８によって付勢された脚部材１２は前方に向かってスライドし始め、図１（ｂ）に示されるように、収容ケース１４の前端１４１から突出するまで移動する。
【００３５】
すなわち、強風などを受けて転倒防止対象物が前方に傾き、本体後部１６２がΔｈ浮上するとき、これを速やかに検知して脚部材１２のスライド抑止を解除し、脚部材１２を付勢スライドさせて収容ケース１４の前端から突出させることができる。このため、転倒のごく初期の段階で脚部材１２を転倒防止対象物の前方に張り出すことができ、転倒を確実に防止することができるのである。ストッパー２２は、ストッパーハウジング２８の挿通孔４０から抜け降りることによって本体後部１６２の浮上を検知し、同時に、その頭部２２１と係合部２６との係合を外して脚部材１２のスライド抑止を解除するものである。検知と抑止解除とが一つの動作の中で同時に実行されるので、検知手段を別に設けた場合に発生しやすい、検知結果の伝達トラブル等に起因する誤動作の発生を回避することができる。
【００３６】
なお、係合部２６の形状は、その突起部分にストッパー２２の頭部２２１が引っ掛かって脚部材１２の付勢されたスライドが抑止されさえすればよく特に限定されない。例えば、脚部材１２の側面に単にピン等の突起部を設け、この突起部の側部でストッパー２２を引っ掛けて脚部材１２のスライドを抑止しても良い。また、係合部２６の突起部分の高さは、コイルばね１８と収容ケース１４の内壁との間隙幅より大きくされる。脚部材１２の長さや太さによって異なるが、一般的には、数ｍｍを下限とする高さで係合部２６を設計することができる。仮に、転倒防止装置の長さが１ｍで係合部２６の突起部分の高さを５ｍｍとし、本体後部１６２が５ｍｍ浮上する時脚部材１２が繰り出されるとすれば、その時の傾斜角度は約０．２°である。従来の、傾斜角度や振動を検知して作動する転倒防止装置に較べ、格別に感度が良好である。
【００３７】
繰り出された脚部材１２は、地震や強風などの転倒の原因がおさまった後に、再び収容ケース１４内に収容されなければならない。本例の転倒防止装置１０では、本体後部１６２を持ち上げストッパー２２の位置を下げながら脚部材１２を後方に押し込み、そのまま本体後部１６２を下げることにより、係合部２６に脚部材１２の頭部２２１が係合された通常状態に戻すことができる。しかしながら、本体後部１６２の持ち上げの手間を省くため、ストッパー２２の引き下げ用レバーを付加することも可能である。
【００３８】
転倒防止装置１０が装着された転倒防止対象物を不用意に動かして脚部材１２が飛び出せば、なんらかの事故の原因となる恐れがある。脚部材１２の先端１２１にクッション材を被せることも一つの対策であるが、不必要なときに脚部材１２が飛び出ない機能を備えることは実用上非常に大切である。
【００３９】
図２に示されるように、ストッパー２２にはハンドル３６が取り付けられ、ストッパーハウジング２８の背面３５には板状突起３８が設けられている。ハンドル３６はストッパー２２と共に自由に回転できるものであるが、通常は、同図（ａ）に示されるように、その先端３６１を転倒防止装置１０の後方に向けていて板状突起３８と接することがなく、ストッパー２２と共に自由に上下できる。そして、転倒防止対象物を移動する時には、同図（ｂ）に示されるように、ハンドル３６を９０°回転してその先端３６１を背面３５側に向け板状突起３８に乗せる。すると、ストッパー２２の下降が阻止されるので脚部材１２のスライドが抑止されたままとなり、脚部材１２が収容ケース１４の先端１４１から飛び出すことがなくなる。
【００４０】
転倒防止装置１０には、略みぞ形鋼状の取り付け部２５が２箇所に設けられている。後方にある取り付け部２５はストッパーハウジング２８を兼ねているが、いずれの取り付け部２５にもその背面３５に長孔２３が備えられている。
【００４１】
図４は、転倒防止装置１０をサッカーゴールの底部４６に装着した状態を示している。すなわち、同図（ａ）に示されるように、転倒防止装置１０は、サッカーゴールの底部４６の左右のパイプ４６１，４６２それぞれの外側に装着される。装着の向きは、転倒防止装置１０の前方Ｄがグランドに対する方向である。
【００４２】
同図（ｂ）は、取り付け部２５周辺を拡大して示しているが、取り付け部２５の背面３５側にパイプ４６１を並べ、取り付け部２５の長孔２３とパイプ４６１に設けた貫通孔４１とに通したボルト４２と、ナット４４とで両者を連結している。ストッパー２２を正常に作動させるには、少なくともストッパーハウジング２８を兼ねた取り付け部２５の底部が、設置面２４に接するようにして連結されなければならない。したがって、パイプ４６１の太さが異れば、取り付け部２５側の連結高さをそれぞれに対応して調節しなければならないが、長孔２３を用いることによってこの調節をスムーズに行うことができる。
【００４３】
図５は、本発明に係わる転倒防止装置の別の実施態様を示しているが、本例では、コイルばね１８に圧縮コイルばねではなく引張りコイルばねを用いている。そして、コイルばね１８の前端１８１を収容ケース１４の前端１４１に係止し、その後端１８２を脚部材１２の後端１２２に係止させている。同図（ａ）は、脚部材１２が引き込まれた通常時の転倒防止装置１１を示しているが、引き伸ばされたコイルばね１８が短縮しようとする復元力によって付勢された脚部材１２のスライドが、ストッパー２２によって抑止されている状態を示している。
【００４４】
転倒防止装置１１が装着されている転倒防止対象物（図中省略）が風や地震などによって傾き、転倒防止装置１１の後部がΔｈ浮上すると、同図（ｂ）に示されるように、ストッパー２２が収容ケース１４から下方に抜け出し、脚部材１２のスライド抑止が解除され、脚部材１２は収容ケース１４の先端１４１から突出するまでスライドする。そして、風や地震などによる転倒を未然に防止することができる。
【００４５】
図６と図７に示される脚部材１２は本発明の別の実施態様を示し、いったん前方へ突出した脚部材１２を収容ケース１４（図中省略）内に引き戻す作業性が改善されている。図１に示される転倒防止装置１０では、上述したように、脚部材１２を引き戻すには本体後部１６２を持ち上げストッパー２２の位置を下げながら脚部材１２を後方に押し込まなければならなかった。
【００４６】
これに対し、本例の脚部材１２の係合部１３は、脚部材１２の後端１２２から後方へ突出した連結棒１３１と、この連結棒１３１の先端に設けられ、脚部材１２の長軸Ａを要として扇状に広がる係合板１３２とから構成されている。通常時は、図６に示されるように、係合部１３の係合板１３２が下方へ向いており、この下向きの係合板１３２にストッパー２２の頭部２２１が係合されて脚部材１２のスライドが抑止されている。
【００４７】
いったん突出した脚部材１２を再び引き戻す時には、脚部材１２をその長軸Ａ回りに回転させ、図７に示すように、係合板１３２を上向きとする。このことで、係合板１３２がストッパー２２の頭部２２１に引っ掛ることがなくなり、脚部材１２を収容ケース１４（図中省略）の後部まで十分に押し込むことができる。そして、再び脚部材１２を回転させ、係合板１３２を下向きにし、係合部１３とストッパー２２の頭部２２１とを係合させて、通常時のスライド抑止状態に戻すことができるのである。脚部材１２を回転するだけの簡単な操作で、本体後部１６２を持ち上げなくてもよい。したがって、本例の脚部材１２を備えた転倒防止装置は、サッカーゴールのような比較的重い転倒防止対象物に備えられる場合に特に便利である。脚部材１２の先端１２１に設けられた突起１５は、係合部１３の係合板１３２が上向きか下向きかを知るためのマークであり、これを目安にして脚部材１２の回転操作が行われる。
【００４８】
脚部材１２の常時付勢されたスライドを抑止する係止手段は、上述した転倒防止装置１０又は転倒防止装置１１において採用されたストッパー２２に限定されない。スライドを抑止する抑止手段と本体後部１６２の浮上を検知する検知手段とを別にして両者で構成することもできる。
【００４９】
例えば、電磁弁などの電気的に作動する抑止手段と、差動トランスなどを利用した浮上高さの測定や、圧電素子を用いた設置圧の測定等々の検知手段とを組み合わせて構成することができる。電源が必要とされるが、抑止手段や検知手段の小型化が可能であり、抑止手段の取り付け位置が限定されずに自由に選択できるという長所がある。
【００５０】
また、本発明に係わる別の転倒防止装置では、脚部材と収容ケースとからなる本体と、脚部材のスライドを付勢する付勢手段と、本体後部の浮上を検知する検知手段とで構成される。常時、付勢手段は停止されているが、検知手段により本体後部の浮上が検知されると付勢手段が作動すようにされ、脚部材がスライドし収容ケースの前端から突出するに至る。
【００５１】
付勢手段には、ガス圧やモーターなどを利用したアクチュエーターを用いることができる。また検知手段には、差動トランスなどを利用した浮上高さの測定や、圧電素子を用いた設置圧の測定等々を採用できる。本転倒防止装置は、スライドを抑止する係止手段が省かれているので構成が簡略化される。また、後方への付勢も可能な付勢手段を選択することにより、いったん繰り出された脚部材の引き込み格納をも電気的に行うことができるようになる。
【００５２】
本発明の最も単純化された転倒防止装置は、脚部材と収容ケースとだけから構成される。略水平に設置された収容ケースが傾いてその一端が浮上する時、脚部材自身の重みにより、他の一端から突出するまでスライドする。スライドの付勢手段や係止手段が省かれているため、小型軽量化が可能であり、比較的小型の転倒防止対象物に適する。
【００５３】
本発明は、脚部材のスライドを助勢するローラを備えることができる。ローラの利用により、付勢手段の負担を軽減することができるし、スライドの速さを増加させて脚部材の前方張り出しを早めることができる。ローラは、脚部材に直接か、あるいは、脚部材に固着された取り付け部材を介して間接的に装着されてもよいし、収容ケース内側に配設されてもよい。脚部材の先端突出部に装着されればキャスターとして機能する。
【００５４】
本発明に係わるサッカーゴールは、上述の種々の転倒防止装置の中のいずれかを、左右両側の底部パイプに備えるものである。既存のサッカーゴールに転倒防止装置を付加する場合は、底部パイプの外側に装着される。あるいは、底部パイプの一部が収容ケースとして兼用されるサッカーゴールを新たに製作することもできる。転倒防止装置はその前方をグランドに向けられる。サッカーゴールには、一般用、ジュニア用、フットサル用、ミニサッカー用、ミニゲーム用などが含まれる。
【００５５】
サッカーゴールは重心が前側にあるため、後ろからの風を受けて前側に転倒しやすいが、このサッカーゴールでは、後ろ側からの風によって前方に傾くと、転倒防止装置の後部が浮上するので脚部材が直ちに繰り出される。このため、大きく傾いて転倒に至る前に、前方に脚部材が張り出されることになって転倒を未然に防ぐことができる。転倒防止装置の後部浮上は非常に感度よく検知できるので、地震や強風などによる突然の転倒に対しても速やかに対応できる。また、設置面の特別の準備や電気配線などが不要なので大変便利である。
【００５６】
以上、本発明の転倒防止装置及びサッカーゴールについて詳細に説明したが、本発明は上述した例示や引用に限定されず、脚部材や収容ケースの材質や形状、ストッパーの種類や構造、付勢手段や係止手段や検知手段などの種類、転倒防止装置の装着方法等々につき、その趣旨を逸脱しない範囲で、当業者の知識に基づき、種々なる改良、修正、変形を加えた態様で実施されるものである。
【００５７】
実施例１
図１及び図２に示されるのと同様の、サッカーゴール用転倒防止装置１０を製作した。脚部材１２は直径２２ｍｍで長さ９９０ｍｍの丸棒、収容ケース１４は外径３４ｍｍで長さ９６０ｍｍのパイプ、コイルばね１８は線径２．３ｍｍ、中心径２５．７ｍｍ、長さ９５０ｍｍであった。また、通常時のコイルばね１８の圧縮時長さは４５０ｍｍであり、脚部材１２の突出長さは４０ｍｍであった。ストッパー２２の高さは７０ｍｍ、係合部２６の突起部分の高さは５ｍｍであり、本体１６の後部１６２が約５ｍｍ浮上した時に、脚部材１２がスライドを始め、収容ケース１４の先端１４１から約５００ｍｍ突出して止まった。
【産業上の利用可能性】
【００５８】
本発明の転倒防止装置は、転倒が予感される時だけ前方に脚部材が張り出されるが、通常は脚部材が引き込まれていて前側での作業性が損なわれないことに特徴がある。したがって、転倒し易く、その前側を人が出入りしたり作業したりするもの全てに有効である。例えば、家具、テレビや冷蔵庫や洗濯機などの電気機器、ロッカー、自動販売機等々が挙げられる。
【００５９】
また、本発明の転倒防止装置は、風などによる緩やかな転倒に対しても敏感に対応できるし、天井や壁などの建造物や電気配線などを必要としないことを特徴とする。このため、屋外の設置物、特に各種運動設備、中でも非常に転倒しやすいサッカーゴールの転倒防止に格別有効である。
【００６０】
本発明の転倒防止装置は、既存の転倒防止対象物に後付けとして装着することもできるし、転倒防止対象物を製作する時に同時に装着することもできる。あるいは、転倒防止対象物の一部を兼ねるようにして備えられてもよい。
【図面の簡単な説明】
【００６１】
【図１】本発明の転倒防止装置の一例を模式的に示す正面図であり、同図（ａ）は通常時、同図（ｂ）は作動時である。
【図２】本発明の転倒防止装置に係わり、図１（ａ）のストッパー近辺拡大図であり、同図（ａ）は正面図、同図（ｂ）はＡ−Ａ断面図である。
【図３】本発明の転倒防止装置に係わり、図１（ｂ）のストッパー近辺を拡大して示す正面図である。
【図４】本発明の転倒防止装置に係わり、図１に示される転倒防止装置の装着例を示し、同図（ａ）はサッカーゴール底部パイプへの装着状態を示す上面図、同図（ｂ）はその係止方法を示す断面図である。
【図５】本発明の転倒防止装置の他の一例を模式的に示す正面図であり、同図（ａ）は通常時、同図（ｂ）は作動時である。
【図６】本発明に係わる脚部材の他の一例を通常時で示し、同図（ａ）は正面図、同図（ｂ）は後方からの側面図である。
【図７】本発明に係わり、図６に示される脚部材の別の状態を示し、同図（ａ）は正面図、同図（ｂ）は後方からの側面図である。
【図８】従来技術に係わり、転倒防止装置装着家具の一例を示す斜視図である。
【図９】従来技術に係わり、図８に示される転倒防止装置の一部を示す断面図である。
【図１０】従来技術に係わり、図８に示される転倒防止装置の一部を示す断面図である。
【図１１】従来技術に係わり、転倒防止装置の他の一例を示す断面図である。
【図１２】従来技術に係わり、転倒防止装置が装着されたサッカーゴールの一例を示す斜視図である。
【符号の説明】
【００６２】
１０、１１、５４，５５  転倒防止装置
１２、５２  脚部材
１２１  脚部材の先端
１２２  脚部材の後端
１３  係合部
１３１  連結棒
１３２  係合板
１４  収容ケース
１４１  収容ケースの前端
１４２  収容ケースの後部
１５、１９，３２  突起
１６  本体
１６１  本体の前端
１６２  本体後部
１８，３０，６４  コイルばね
１８１  コイルばねの前端
１８２  コイルばねの後端
２０  付勢手段
２１  係止手段
２２  ストッパー
２２１  ストッパーの頭部
２２２  ストッパーの底部
２３  長孔
２４  設置面
２５  取り付け部
２６  係合部
２７  コイルばね係止部
２８  ストッパーハウジング
３４  落下防止枠
３５  背面
３６  ハンドル
３６１  ハンドルの先端
３８  板状突起
４０  挿通孔
４１  貫通孔
４２  ボルト
４４  ナット
４６、９０  底部
４６１  左側パイプ
４６２  右側パイプ
５０  家具
５６  揺動体
５８  転動体
６０  爪状係合部
６２  突起状係合部
６６  ケース
６８  窪み
７０  軸体
７２  振子
７４  アーム
８２  フレーム
８４  ピン
８８  サッカーゴール
９２  転倒防止具
Ｄ  脚部材の突出方向
Ａ  脚部材の長軸
【図１】
2005278895.tif 000003
【図２】
2005278895.tif 000004
【図３】
2005278895.tif 000005
【図４】
2005278895.tif 000006
【図５】
2005278895.tif 000007
【図６】
2005278895.tif 000008
【図７】
2005278895.tif 000009
【図８】
2005278895.tif 000010
【図９】
2005278895.tif 000011
【図１０】
2005278895.tif 000012
【図１１】
2005278895.tif 000013
【図１２】
2005278895.tif 000014